(57)【特許請求の範囲】
【請求項１】
電気光学パネルと、
金属板で構成され、前記電気光学パネルと平面的に重なる範囲の少なくとも一部に配置されるとともに、前記範囲から外側に張り出した領域において、前記電気光学パネルの厚み方向に折り曲げられて立設された周囲壁を有するフレームと、
を具備し、前記フレームの周囲壁が、前記金属板が折り返されることで、前記電気光学パネルの厚み方向と交差した方向に複数積層された積層壁を構成する電気光学装置であって、
前記フレームの前記周囲壁は、角部を構成する２辺のそれぞれにおいて前記積層壁を構成しており、前記２辺のうち一方の辺に構成された前記積層壁の前記角部側に配置された端面が、前記２辺のうち他方の辺に構成された前記積層壁の端縁部に密接するように配置されていることを特徴とする電気光学装置。
【請求項２】
電気光学パネルと、
金属板で構成され、前記電気光学パネルと平面的に重なる範囲の少なくとも一部に配置されるとともに、前記範囲から外側に張り出した領域において、前記電気光学パネルの厚み方向に折り曲げられて立設された周囲壁を有するフレームと、
を具備し、前記フレームの周囲壁が、前記金属板が折り返されることで、前記電気光学パネルの厚み方向と交差した方向に複数積層された積層壁を構成する電気光学装置であって、
前記フレームの前記周囲壁は、角部を構成する２辺のそれぞれにおいて前記積層壁を構成しており、前記２辺のうち一方の辺に構成された前記積層壁の前記角部側に配置された端面と、前記２辺のうち他方の辺に構成された前記積層壁の前記角部側に配置された端面と、がプレスによる絞り加工によって密接されていることを特徴とする電気光学装置。
【請求項３】
請求項１又は請求項２に記載の電気光学装置と、該電気光学装置の制御手段とを備えた電子機器。
【発明の詳細な説明】
【技術分野】
【０００１】
本発明は電気光学装置、保持枠体及び電子機器に係り、特に、少なくとも一部が金属板よりなる保持枠体に関する。
【背景技術】
【０００２】
一般に、電気光学装置である液晶表示装置としては、液晶表示パネルを合成樹脂や金属板よりなるフレームに装着したものが知られており、このフレームを介して液晶表示パネルを電子機器に搭載するようにしている。フレームとしては、液晶表示パネルを下方より支持する下フレーム若しくは支持フレームと、液晶表示パネルを観察側より保持する上フレーム若しくは保持フレームとがあり、液晶表示装置としては、これらの上下のフレームによって液晶表示パネルが挟持された状態とされる構成が知られている（たとえば、以下の特許文献１及び２参照）。
【０００３】
また、配電盤等を構成する箱体において、箱体を構成する板材の内側に折り返しによって２枚の板部が密着してなるリブを設けた構造が知られている（たとえば、以下の特許文献３参照）。また、この文献には、箱体の角部の内側において上記リブの２枚の板部のうち一枚を互い違いに切り欠いた上、当該リブの一枚ずつ残った部分を相互に重ねてスポット溶接等で固定した構成も開示されている（たとえば、以下の特許文献３参照）。
【特許文献１】特開２００５−９９６１６号公報
【特許文献２】特開２００５−２８３８２６号公報
【特許文献３】特開昭５６−１５１０７号公報
【発明の開示】
【発明が解決しようとする課題】
【０００４】
ところで、近年、携帯電話機や携帯型情報端末などの電子機器では小型化、薄型化がますます強く要請されるようになってきており、その結果、上記の電子機器に搭載される前述の液晶表示装置などのフレーム構造も薄型化せざるを得ないことから、耐衝撃性などを確保するためのフレーム強度を維持することが難しい状況にある。このため、フレーム構造として金属板よりなる金属枠を用いる場合が増えてきている。
【０００５】
しかしながら、金属板よりなる金属枠を用いる場合でも薄型化と耐衝撃性を両立しなければならない状況には変わりがないので、最近の電気光学装置の薄型化のさらなる進展により、金属板を用いた場合でも十分な剛性を確保することが難しくなってきている。
【０００６】
また、板材で構成される箱体の補強構造としては上記特許文献３に示されるものがあるが、配電盤などといった小型化の要請の弱いものでは有効であるものの、リブを設けることでコンパクト性が犠牲になる反面、剛性向上効果が低いことから、小型化、薄型化の要請の強い携帯型電子機器に用いる場合には不十分である。
【０００７】
さらに、金属板で構成される保持枠体は樹脂成型で形成される樹脂フレームに比べて形状の自由度が低く、壁の形状を任意に形成することが難しく、また、液晶表示パネルを支持するための段差面を自由に形成することができないという問題点もある。
【０００８】
そこで、本発明は上記問題点を解決するものであり、小型化、薄型化の要請に反することなく十分な強度を得ることが可能な保持枠体及びこれを用いた電気光学装置を提供することにある。
【課題を解決するための手段】
【０００９】
斯かる実情に鑑み、本発明の電気光学装置は、電気光学パネルと、金属板で構成され、前記電気光学パネルと平面的に重なる範囲の少なくとも一部に配置されるとともに、前記範囲から外側に張り出した領域において、前記電気光学パネルの厚み方向に折り曲げられて立設された周囲壁を有するフレームと、を具備し、前記フレームの周囲壁が、前記金属板が折り返されることで、前記電気光学パネルの厚み方向と交差した方向に複数積層された積層壁を構成する電気光学装置であって、前記フレームの前記周囲壁は、角部を構成する２辺のそれぞれにおいて前記積層壁を構成しており、前記２辺のうち一方の辺に構成された前記積層壁の前記角部側に配置された端面が、前記２辺のうち他方の辺に構成された前記積層壁の端縁部に密接するように配置されていることを特徴とする。
また、本発明の電気光学装置は、電気光学パネルと、金属板で構成され、前記電気光学パネルと平面的に重なる範囲の少なくとも一部に配置されるとともに、前記範囲から外側に張り出した領域において、前記電気光学パネルの厚み方向に折り曲げられて立設された周囲壁を有するフレームと、を具備し、前記フレームの周囲壁が、前記金属板が折り返されることで、前記電気光学パネルの厚み方向と交差した方向に複数積層された積層壁を構成する電気光学装置であって、前記フレームの前記周囲壁は、角部を構成する２辺のそれぞれにおいて前記積層壁を構成しており、前記２辺のうち一方の辺に構成された前記積層壁の前記角部側に配置された端面と、前記２辺のうち他方の辺に構成された前記積層壁の前記角部側に配置された端面と、がプレスによる絞り加工によって密接されていることを特徴とする。
【００１０】
この発明によれば、金属板で構成された部分は金属板が両側で折り返されて積層されてなる積層壁を有することにより、折り返し部を両側に備えるとともに積層構造とされることで、従来と同様の金属板で形成でき、小型化や薄型化にも支障を与えないように構成できるにも拘らず、壁の剛性を全方向にわたり大幅に増大させることができる。したがって、電気光学装置としての耐衝撃性を確保しつつ小型化、薄型化の要請に応えることができる。
【００１１】
本発明において、前記金属板は前記電気光学パネルと平面的に重なる範囲の少なくとも一部に配置され、前記積層壁は前記金属板の前記範囲から外側へ張り出した領域を折り畳むことで構成されていることが好ましい。これによれば、積層壁が金属板のうち電気光学パネルと平面的に重なる範囲の少なくとも一部に配置される部分（たとえば、後述する底面部、上面部、或いは、パネル支持面などの段差部など）と一体に構成されるので、全体として剛性をさらに高めることができる。特に、前記金属板が前記電気光学パネルと平面的に重なる範囲全体に構成され、当該範囲から周囲に張り出した部分で構成された積層壁が電気光学パネルの周囲の少なくとも一部を取り巻くように構成されることが望ましい。このようにすると、支持フレームや保持フレームを金属板のみで構成することができる。
【００１２】
本発明において、前記積層壁は、上下に前記金属板を折り重ねて積層した壁構造を有することが好ましい。これによれば、金属板を上下（電気光学パネルの厚み方向）に折り返して積層することで、積層壁の平面方向の幅を金属板の折り返し部の位置によって自在に設定することが可能になる。
【００１３】
本発明において、前記積層壁の内面には前記電気光学パネルを支持する段差面が構成され、前記段差面は、上層に設けられた上側内部の前記折り返し部よりも内側に張り出した下側内部の前記折り返し部を備えた下層の表面で構成されることが好ましい。これによれば、上層と下層の金属板の折り返し部の位置を変えるだけで簡単かつ確実に段差面（パネル支持面）を構成できる。
【００１４】
本発明において、前記積層壁は、内外に前記金属板を折り重ねて積層した壁構造を有することが好ましい。これによれば、金属板を内外方向（前記電気光学パネルの表面に沿った方向）に折り重ねることで、積層壁の高さ（上下幅）を折り返し部の位置によって自在に設定することが可能になる。
【００１５】
本発明において、前記積層壁の内面には前記電気光学パネルを支持する段差面が構成され、前記段差面は、外層に設けられた外側上部の前記折り返し部よりも低く形成された内層の内側上部の前記折り返し部で構成されることが好ましい。これによれば、内側上部の折り返し部の高さを変えるだけで段差面の高さを自在に設定することができる。
【００１６】
本発明において、前記積層壁は角部を有し、該角部の両側にある一対の壁部分が共通一体の前記金属板で構成されるとともに、前記角部において相互に整合し密接した端面を有することが好ましい。これによれば、両側の一対の壁部分が共通一体の金属板で構成されることで一体性を確保できるとともに、それぞれが角部において相互に整合し密接した端面を有することで、さらに全体の剛性を高めることができる。
【００１７】
本発明において、前記一対の壁部分の前記端面が相互に嵌合していることが好ましい。これによれば、両端面が相互に嵌合することで、枠部分の剛性をさらに高めることができる。
【００１８】
次に、本発明の保持枠体は、被保持物を収容し保持するための保持枠体であって、少なくとも一部が金属板で構成され、前記少なくとも一部は、前記金属板が両側で折り返されて積層されてなる積層壁を有し、前記金属板は前記電気光学パネルと平面的に重なる範囲の少なくとも一部に配置され、前記積層壁は前記金属板の前記範囲から外側へ張り出した領域を折り畳むことで構成されていることを特徴とする。
【００１９】
この場合において、前記積層壁は角部を有し、該角部の両側にある一対の壁部分が共通一体の前記金属板で構成されるとともに、前記角部において相互に整合し密接した端面を有することが好ましい。
【００２０】
次に、本発明の電子機器は、上記のいずれかに記載の電気光学装置と、該電気光学装置の制御手段とを備えたことを特徴とする。このような電子機器としては、特に、携帯電話機、携帯型情報端末、車載用表示装置など、或る程度の耐衝撃性を必要とするとともに小型化、薄型化が要求されるものであることが効果的である。
【発明を実施するための最良の形態】
【００２１】
次に、添付図面を参照して本発明の実施形態について詳細に説明する。図１は、本実施形態に係る電気光学装置（液晶表示装置）１００の概略分解斜視図である。この電気光学装置１００は、バックライトを構成する照明ユニット１１０と、該照明ユニット１１０の前面側（観察側）に配置される電気光学パネル（液晶表示パネル）１２０とを具備するとともに、これらを収容保持するための支持フレーム１３０と、保持フレーム１４０とを有する保持枠体を具備している。
【００２２】
照明ユニット１１０は、ＬＥＤ（発光ダイオード）、冷陰極管等で構成される光源１１１と、光源１１１から放出される光を光入射面（端面）１１２ａから導入して光出射面（表面）１１２ｂから出射する導光板１１２とを備えている。ここで、配線基板（フレキシブル配線基板）１１３上に複数の光源１１１が上記光入射面１１２ａの幅方向に沿って配列されている。また、導光板１１２の背後には反射シート１１４が配置される。さらに、図示しない光学シートが上記光出射面１１２ｂ上に配置されることが好ましい。ここで、導光板１１２は平面視矩形状に構成される。
【００２３】
電気光学パネル１２０は、ガラス等よりなる透明な基板１２１と１２２とが貼り合わされ、この間に図示しない電気光学物質（液晶）が配置されたものである。基板１２１には基板１２２より張り出した基板張り出し部１２１Ｔが設けられ、この基板張り出し部１２１Ｔ上には駆動回路を構成する半導体チップ１２３や配線基板（フレキシブル配線基板）１２４が実装されている。なお、必要に応じて基板１２１，１２２の外面上に偏光板１２５，１２６（１２５は図示省略）が配置（貼着）される。電気光学パネル１２０も平面視矩形状に構成され、その表示領域１２０Ａも矩形状に構成されている。
【００２４】
支持フレーム１３０は、平面視矩形状に構成され、底面部１３１と、この底面部１３１の周囲に立設された４つの周囲壁１３２，１３３とを有する。周囲壁１３２は平面視コ字状に３つ設けられ、残りの一つの周囲壁１３３は、その上縁１３３ａが他の周囲壁１３２の上縁１３２ａよりやや低く形成され、保持フレーム１４０を装着した場合でも上記配線基板１１３、１２４の導出口が確保されるように構成されている。支持フレーム１３０の周囲壁１３２の内面には段差面であるパネル支持面１３２ｂが形成されている。支持フレーム１３０の内部のうち、上記パネル支持面１３２ｂの内側下方には、上記底面部１３１上に照明ユニット１１０が収容配置される。また、電気光学パネル１２０は、必要に応じて両面接着テープ１２７等を介してパネル支持面１３２ｂ上に支持される。周囲壁１３２の外面には保持フレーム１４０と係合するための支持側係合構造である係合穴１３２ｔが形成されている。
【００２５】
保持フレーム１４０は図示例の場合、電気光学パネル１２０を上方より覆うように装着される。保持フレーム１４０は下部が開口し、上記支持フレーム１３０に装着可能に構成され、上部に電気光学パネル１２０の表示領域１２０Ａを観察側（図示上方）より視認可能に構成するための表示窓１４０ａを備えている。保持フレーム１４０は、表示窓１４０ａを開口してなる上面部１４１と、この上面部１４１の周囲より下方に立設される周囲壁１４２、１４３とを備えている。保持フレーム１４０は平面視矩形状で、上記支持フレーム１３０に対応する平面形状（図示例の場合には支持フレーム１３０より僅かに大きな矩形状）に構成される。３つの周囲壁１４２は支持フレーム１３０の周囲壁１３２と対応して平面視コ字状に構成され、残りの１つの周囲壁１４３の下縁１４３ａは他の周囲壁１４２の下縁１４２ａより低く形成され、組立状態において上記支持フレーム１３０の周囲壁１３３の上縁１３３ａとの間に上述の導出口を確保するように構成される。
【００２６】
本実施形態の場合、保持フレーム１４０と支持フレーム１３０を係合固定するための係合手段が設けられている。具体的には、保持フレーム１４０の周囲壁１４２の内面上に係合突起１４２ｔ（保持側係合構造）が形成され、これが上記の支持側係合構造である係合穴１３２ｔと係合可能に形成されている。そして、照明ユニット１１０及び電気光学パネル１２０を収容した支持フレーム１３０に対して上方から保持フレーム１４０をかぶせるように装着することで上記係合突起１４２ｔが係合穴１３２ｔにスナップ的に嵌合し、両フレームが固定されるようになっている。
【００２７】
本実施形態では、上記支持フレーム１３０と保持フレーム１４０の少なくとも一方が金属板で構成される枠体（金属枠、或いは、金属フレーム）となっている。ここで、以下においては、支持フレーム１３０及び保持フレーム１４０の双方を金属板で構成する場合について説明するが、ほぼ同様にしていずれか一方のみを金属板で構成することもでき、また、支持フレーム１３０又は保持フレーム１４０のそれぞれ一部のみを金属板で構成することもできる。なお、支持フレーム１３０の構造を保持フレーム１４０に適用してもよく、その逆もまた可能である。
【００２８】
［第１実施形態］
図２（ａ）は支持フレーム１３０の底面部１３１の一部及び周囲壁１３２の断面図、図２（ｂ）は保持フレームの上面部１４１の一部及び周囲壁１４２の断面図である。なお、本実施形態において、周囲壁１３２と１３３或いは周囲壁１４２と１４３は断面の細部構造以外は基本的に同様に構成されているものとする。
【００２９】
図２（ａ）に示すように、支持フレーム１３０の底面部１３１は一枚の金属板で構成され、この金属板の周縁部分が底面部１３１の周囲に張り出して、電気光学パネル１２０の厚み方向上方に折り返され、この折り返し部を内外両側に備えた態様で積層することで周囲壁１３２が構成されている。すなわち、周囲壁１３２は下方から外側で上方へ折り返され、内側に戻って再び上方へ折り返されるというように、内外両端にそれぞれ折り返し部１３０ｘ、１３０ｙを備え、複数層が積層されてなる積層壁となっている。
【００３０】
また、周囲壁１３２では、外側の折り返し部１３０ｘが高さ方向にほぼ同一の平面位置に設けられているのに対して、周囲壁１３２の高さ方向の中間位置において、上層の内側の折り返し部１３０ｙより内側に下層の折り返し部１３０ｙが配置され、当該下層の金属板が内側へ張り出した部分があり、当該部分の表面が段差面となって上記パネル支持面１３２ｂを構成している。すなわち、周囲壁１３２では下部にある複数の層の内外方向の幅よりも上部の複数の層の内外方向の幅が小さく構成され、下部と上部の間に幅の差異によって段差面が構成されている。
【００３１】
さらに、周囲壁１３２の外面には外側の折り返し部１３０ｘが一部内側へずれた位置に形成されている部分があり、当該部分に形成された凹部が上記係合穴１３２ｔを形成している。なお、当該係合穴１３２ｔが、折り返し部１３０ｘの位置の変更ではなく、金属板に形成した孔で形成されるようにしてもよい。
【００３２】
一方、図２（ｂ）に示すように、保持フレーム１４０においては、上面部１４１が一枚の金属板で構成されるとともに、この金属板の周縁部分が上面部１４１の周囲に張り出して、電気光学パネル１２０の厚み方向下方へ折り返され、この折り返し部を内外両側に備えた態様で積層することで周囲壁１４２が構成されている。すなわち、周囲壁１４２は上方から外側で下方へ折り返され、内側に戻って再び下方へ折り返されるというように、内外両端にそれぞれ折り返し部１４０ｘ、１４０ｙを備え、複数層が積層されてなる積層壁となっている。
【００３３】
また、周囲壁１４２の外面には外側の折り返し部１４０ｙが一部内側へずれた位置に形成されている部分があり、当該部分によって形成された凸部が上記係合突起１４２ｔを形成している。なお、当該係合突起１４２ｔが、折り返し部１４０ｙの位置の変更ではなく、金属板の一部を内側に張り出させた突片部によって構成されるようにしてもよい。
【００３４】
［第２実施形態］
図３（ａ）は支持フレーム１３０の底面部１３１の一部及び周囲壁１３２の上記とは異なる構成例を示す断面図、図３（ｂ）は保持フレームの上面部１４１の一部及び周囲壁１４２の上記とは異なる構成例を示す断面図である。なお、本実施形態でも、周囲壁１３２と１３３或いは周囲壁１４２と１４３は断面の細部構造以外は基本的に同様に構成されているものとする。
【００３５】
この構成例では、図３（ａ）に示すように、底面部１３１を構成する一枚の金属板が底面部１３１より外側に張り出して上側へ折り曲げられて上方へ伸び、上部で外側へ折り返されて下方へ伸びた後、下部で外側へ折り返されて再び上方へ伸びるというように、上下両端にそれぞれ折り返し部１３０ｘと１３０ｙが設けられることにより、金属板が内外（電気光学パネル１２０の表面に沿った方向）に積層された積層壁である周囲壁１３２が構成されている。ここで、上記パネル支持面１３２ｂは周囲壁１３２の上縁１３２ａよりも低く形成された上側の折り返し部１３０ｙで形成されている。また、係合穴１３２ｔは、外側の金属板に形成された孔によって構成されている。
【００３６】
一方、図３（ｂ）に示すように、保持フレーム１４０においても、上面部１４１（上記表示窓１４０ａが開口した金属板で構成される。）を構成する一枚の金属板が上面部１４１より外側に張り出して下側へ折り曲げられて下方へ伸び、下部で外側へ折り返されて上方へ伸びた後、上部で外側へ折り返されて再び下方へ伸びるというように、上下両端にそれぞれ折り返し部１４０ｘと１４０ｙが設けられることにより、金属板が内外（電気光学パネル１２０の表面に沿った方向）に積層された積層壁である周囲壁１４２が構成されている。ここで、上記係合突起１４２ｔは、最も内側の金属板を切り欠いて内側に突出させた突片部によって構成されている。
【００３７】
なお、上記第１実施形態と本実施形態のいずれにおいても、支持フレーム１３０又は保持フレーム１４０は、いずれも矩形状の底面部１３１又は上面部１４１の周囲四方にそれぞれ上記周囲壁１３２，１３３、１４２，１４３が形成され、これら全ての周囲壁が上記図２又は図３に示すように積層壁で構成されることが好ましい。なお、周囲壁１３２と１３３、或いは、周囲壁１４２と１４３の高さの相違は、それぞれ図２に示す例では折り重ねの積層数を変えることで形成することができ、図３に示す例では折り返し部１３０ｙ、１４０ｙの位置（高さ）を変えることで形成することができる。また、上記第２実施形態ではいずれも底面部１３１又は上面部１４１の外側に折り重ねることで周囲壁１３２，１４２を形成しているが、逆に内側に折り重ねて周囲壁を構成してもよい。これらの点は以下の各構成例でも同様である。
【００３８】
［角部近傍の構成］
次に、本実施形態の周囲壁の角部の構成例について図４乃至図１３を参照して説明する。なお、以下に説明する各構成例は支持フレーム１３０を構成する例を示すものであるが、同様の構成については保持フレーム１４０に用いることも可能である。また、図２又は図３に示した細部構造（上記パネル支持面１３２ｂ、係合穴１３２ｔ、係合突起１４２ｔなど）は以下の図面及び説明では省略する。さらに、各図中、一点鎖線及び二点鎖線で示すものは金属板の部分展開図であり、一点鎖線は金属板の外縁形状を示し、二点鎖線は金属板の折り曲げ線若しくは折り返し線を示す。また、部分展開図に対して矢印の先に描いた図中実線で示す図面は、金属板を折り曲げ又は折り返した後の支持フレーム１３０の完成状態の角部近傍の部分平面図である。
【００３９】
（第１構成例）最初に図４を参照して上記周囲壁１３２の角部近傍の構成及び製造方法について説明する。この構成例は図２に示す積層構造を有する周囲壁の角部を形成するための構造を示すものである。当該構成例では、矩形状の底面部１３１の隣接する２辺からそれぞれ外側へ張り出した金属板の張り出し領域１３２Ａ、１３２Ｂを別々に設け、各張り出し領域１３２Ａ、１３２Ｂにそれぞれ底面部１３１側より順に周囲壁１３２の平面方向に沿った幅に相当する幅を有する屈折片部１３２Ａ１，１３２Ａ２、・・・及び１３２Ｂ１、１３２Ｂ２、・・・を設定する。当該張り出し領域１３２Ａと１３２Ｂの端縁１３２Ａｐ、１３２Ｂｐは、外側角点Ｏから外側へ向けて相互に分離されて伸び、いずれも底面部１３１より外側に順次設けられる屈折片部毎に外側へ向けて交互に逆向きに傾斜した端縁部１３２Ａｐ１、１３２Ａｐ２、・・・、１３２Ｂｐ１、１３２Ｂｐ２、・・・を備えている。
【００４０】
上記のように構成された金属板のうち、底面部１３１の外側に隣接する屈折片部１３２Ａ１及び１３２Ｂ１を外側角点Ｏを通過する折り返し線で底面部１３１の外周部上に折り返す。このとき、屈折片部１３２Ａ１の端縁部１３２Ａｐ１と屈折片部１３２Ｂ１の端縁部１３２Ｂｐ１とが整合し、これらの端縁部同士が密接するようになっている。このとき、上記外側角点Ｏは上記端縁部１３２Ａｐ１、１３２Ｂｐ１の最外端に配置される。次に、屈折片部１３２Ａ２及び１３２Ｂ２を逆向きに上記屈折片部１３２Ａ１及び１３２Ｂ１上に折り返す。この場合にも、角部１３２ｐにおいては端縁部１３２Ａｐ２と１３２Ｂｐ２とが整合して密接する。さらに、これ以後、張り出し領域１３２Ａの屈折片部１３２Ａ３・・・及び張り出し領域１３２Ｂの屈折範囲１３２Ｂ３・・・を順次に折り返していくことで、上記外側角点Ｏを最外端とする角部１３２ｐを備えた周囲壁１３２が形成される。なお、本明細書において「密接する」とは、僅かな隙間を介して対向する場合をも含むものとする。
【００４１】
上記のように構成すると、周囲壁１３２の角部１３２ｐでは、上記複数の端縁部１３２Ａｐ１、１３２Ａｐ２・・・が積層されてなる端面１３２ｐ１と、上記複数の端縁部１３２Ｂｐ１、１３２Ｂｐ２・・・が積層されてなる端面１３２ｐ２とがそれぞれ略平坦に形成されるとともに、相互に密接した状態となる。したがって、隣接する辺が交差する角部１３２ｐにおいても周囲壁１３２の一体性を確保することができ、周囲壁１３２の収容機能、位置決め機能、保持機能などを支障なく発揮できるように構成することが可能である。特に、周囲壁１３２に外側から内側へ応力が加わったときに端面１３２ｐ１と１３２ｐ２とが当接して支えあうため、周囲壁１３２の剛性を高めることができる。
【００４２】
（第２構成例）図５に示す構成例は図３に示す積層構造を有する周囲壁１３２の角部を構成する例を示すものである。この構成では、内側角点Ｉから外側へ分離して伸びる端縁１３２Ａｐ及び１３２Ｂｐをそれぞれ備えた張り出し領域１３２Ａと１３２Ｂを備えている。そして、各屈折片部１３２Ａ１、１３２Ａ２・・・及び１３２Ｂ１、１３２Ｂ２・・・の端縁部１３２Ａｐ１、１３２Ａｐ２・・・及び端縁部１３２Ｂｐ１、１３２Ｂｐ２・・・は、それぞれが金属板の厚み方向に交互に逆方向に斜めにカットされるとともに、順次に外側へ向けて徐々に張り出すように構成されている。
【００４３】
上記の結果、底面部１３１の外側に隣接する屈折片部１３２Ａ１、１３２Ｂ１を底面部１３１側に屈折させて立設させ、次の屈折片部１３２Ａ２、１３２Ｂ２を反対の外側に折り返して外側に重ね、さらに次の屈折片部１３２Ａ３、１３２Ｂ３を内側に折り返して外側に重ねるといったように、順次に外側に交互に逆に折り返して重ねていくことで、図３に示す構造の積層壁である周囲壁１３２を形成することができる。
【００４４】
この構成例では、周囲壁１３２の角部１３２ｐにおいて、張り出し領域１３２Ａで形成された周囲壁の上記端縁部１３２Ａｐ１、１３２Ａｐ２・・・が積層されてなる端面１３２ｐ１と、同様に張り出し領域１３２Ｂで形成された周囲壁の上記端縁部１３２Ｂｐ１、１３２Ｂｐ２・・・が積層されてなる端面１３２ｐ２がそれぞれ略平坦に形成されるとともに、相互に密接した状態となる。したがって、隣接する辺が交差する角部１３２ｐにおいても周囲壁１３２の一体性を確保することができ、周囲壁１３２の収容機能、位置決め機能、保持機能などを支障なく発揮できるように構成することが可能である。特に、周囲壁１３２に対して外側から内側に応力が加えられたときに上記端面１３２ｐ１と１３２ｐ２とが当接しあって周囲壁１３２を支えるので、高い剛性を得ることができる。
【００４５】
（第３構成例）図６に示す構成例では、矩形状の底面部１３１の隣接する２辺から張り出した金属板の張り出し領域１３２Ａ、１３２Ｂを別々に設け、各張り出し領域１３２Ａ、１３２Ｂにそれぞれ底面部１３１側より順に周囲壁１３２の平面方向に沿った幅に相当する幅を有する複数の屈折片部１３２Ａ１、１３２Ａ２・・・及び１３２Ｂ１、１３２Ｂ２・・・を外側に向けて順次に設定し、これらの各屈折片部を底面部１３１の外周部上に折り重ねて周囲壁１３２を形成する点では第１構成例と同様である。
【００４６】
当該張り出し領域１３２Ａと１３２Ｂの端縁１３２Ａｐ、１３２Ｂｐは、外側角点Ｏから外側へ向けて分離されて伸び、いずれも底面部１３１より外側に順次設けられる二つの屈折片部毎に、外側角点Ｏと同位置に配置された端縁部と、これより離間する側に引き込まれた位置に配置された端縁部とが交互に設けられている。これによって、張り出し領域１３２Ａに属する屈折片部１３２Ａ１、１３２Ａ２・・・と張り出し領域１３２Ｂに属する屈折片部１３２Ｂ１、１３２Ｂ２・・・とが２枚ずつ交互に重なる態様で角部１３２ｐが構成される。したがって、角部１３２ｐにおいては屈折片部１３２Ａ１、１３２Ａ２・・・と屈折片部１３２Ｂ１、１３２Ｂ２・・・とが交互に嵌合する態様で積層され、より具体的には角部１３２ｐにおいて一方の端面１３２ｐ１と他方の端面１３２ｐ２とが平面視矩形状（図示正方形状）の領域において互い違いに噛み合った状態となることから、角部１３２ｐの一体性をさらに高めることができる。特に、周囲壁１３２に対して上方から下方へ、或いは、下方から上方へ向かう方向に加わる応力に対しても剛性を高めることができる。
【００４７】
なお、本構成例では２層ごとに交互に両張り出し領域に属する屈折片部が積層されているが、各張り出し領域１３２Ａ，１３２Ｂの端縁を各屈折片部の一つの端縁部ごとに交互に外側角点Ｏ側に出没させる（端縁部を一つおきに突出させる）ことで、角部１３２ｐにおいて１層ずつ交互に屈折片部が積層されるように構成することも可能である。
【００４８】
（第４構成例）図７に示す構成例では、矩形状の底面部１３１の隣接する２辺から張り出した金属板の張り出し領域１３２Ａ、１３２Ｂを別々に設け、各張り出し領域１３２Ａ、１３２Ｂにそれぞれ底面部１３１側より順に周囲壁１３２の平面方向に沿った幅に相当する幅を有する複数の屈折片部１３２Ａ１、１３２Ａ２・・・及び１３２Ｂ１、１３２Ｂ２・・・を外側に向けて順次に設定し、底面部１３１の外縁上において立設した状態に外側へ向けて順次に折り重ねて周囲壁１３２を形成する点では第２構成例と同様である。
【００４９】
当該張り出し領域１３２Ａと１３２Ｂの端縁１３２Ａｐ、１３２Ｂｐは、内側角点Ｉから外側へ向けて分離されて伸び、いずれも底面部１３１より外側に順次設けられる二つの屈折片部毎に、内側角点Ｉより離れるに従って順次に他方の張り出し領域の二つの屈折片部の積層厚みと同幅だけ端縁部が突出するように構成されている。これによって、張り出し領域１３２Ａに属する屈折片部１３２Ａ１、１３２Ａ２・・・の端縁部と張り出し領域１３２Ｂに属する屈折片部１３２Ｂ１、１３２Ｂ２・・・の端縁部とが２枚ずつ交互に突き合わされる態様で角部１３２ｐが構成される。したがって、角部１３２ｐにおいては屈折片部１３２Ａ１、１３２Ａ２・・・と屈折片部１３２Ｂ１、１３２Ｂ２・・・とが交互に嵌合する態様で積層されることから、角部１３２ｐの一体性をさらに高めることができる。
【００５０】
なお、本構成例では２層ごとに両張り出し領域に属する屈折片部が交互に突き合わされるように構成されているが、各張り出し領域１３２Ａ，１３２Ｂの端縁を各屈折片部の一つの端縁部ごとに他方の屈折片部の１層の厚み分だけ順次に突出するように構成することで、角部１３２ｐにおいて１層ずつ交互に屈折片部が突き合わされるように構成することも可能である。
【００５１】
（第５構成例）図８に示す構成例では、矩形状の底面部１３１の隣接する２辺から張り出した金属板の張り出し領域１３２Ａ、１３２Ｂを別々に設け、各張り出し領域１３２Ａ、１３２Ｂにそれぞれ底面部１３１側より順に周囲壁１３２の内外方向の厚みに相当する幅を有する複数の屈折片部１３２Ａ１、１３２Ａ２・・・及び１３２Ｂ１、１３２Ｂ２・・・を外側に向けて順次に設定し、底面部１３１の外周部上に折り重ねて周囲壁１３２を形成する点では第１構成例と同様である。
【００５２】
また、当該張り出し領域１３２Ａと１３２Ｂの端縁は外側角点Ｏから外側へ向けて分離されて伸び、いずれも底面部１３１より外側に順次設けられる屈折片部に、外側角点Ｏと同位置に配置された端縁部と、これより他方の張り出し領域の屈折片部の幅だけ引き込まれた位置に配置された端縁部とが交互に設けられ、これらによって、張り出し領域１３２Ａに属する屈折片部１３２Ａ１、１３２Ａ２・・・と張り出し領域１３２Ｂに属する屈折片部１３２Ｂ１、１３２Ｂ２・・・とが重なる態様で角部１３２ｐが構成される点で上記第３構成例と同様である。
【００５３】
本構成例では、外側角点Ｏの内側の底面部１３１の外周部に屈折片部１３２Ａ１が折り重ねられ、屈折片部１３２Ｂ１、１３２Ｂ２及び１３２Ｂ３が上記屈折片部１３２Ａ１の角部に配置される部分を避けるように底面部１３１の外周部に折り重ねられる。しかしながら、屈折片部１３２Ｂ４の突出部１３２Ｂ４ａを突出させるとともに、その先にさらに折り返し突片部１３２Ｂ４ｂ、１３２Ｂ４ｃを設け、これらを下方に（すなわち、上方への折り重ね積層手順とは逆方向に）折り返した状態で上記屈折片部１３２Ａ１上に重ねる点で上記構成例とは異なる。その後、屈折片部１３２Ａ５をその突出部が突出部１３２Ｂ４ａ上に折り重ねられるように折り返し、屈折片部１３２Ｂ５を角部１３２ｐを避けて折り重ねる。
【００５４】
上記のように上方へ屈折片部を順次に折り重ねていく途中で或る屈折片部の突片部を逆に下方へ折り返すことで、角部１３２ｐにおける端面部１３２ｐ１と１３２ｐ２の嵌合構造をより自由に構成することが可能になる。
【００５５】
なお、本構成例では張り出し領域１３２Ｂにのみ上記折り返し突片部を設けたが、張り出し領域１３２Ａに設けてもよく、或いは、張り出し領域１３２Ａと１３２Ｂに交互に設けてもよい。
【００５６】
（第６構成例）図９に示す構成例では、矩形状の底面部１３１の隣接する２辺から張り出した金属板の張り出し領域１３２Ａ、１３２Ｂを別々に設け、各張り出し領域１３２Ａ、１３２Ｂにそれぞれ底面部１３１側より順に周囲壁１３２の内外方向に沿った厚みに相当する幅を有する複数の屈折片部１３２Ａ１、１３２Ａ２・・・及び１３２Ｂ１、１３２Ｂ２・・・を外側に向けて順次に設定し、底面部１３１の外縁上において立設した状態に折り返して周囲壁１３２を形成する点では第２構成例と同様である。
【００５７】
本構成例では、張り出し領域１３２Ａ及び１３２Ｂにおいてそれぞれ複数の屈折片部が嵌合した構造の角部１３２ｐが構成される点で上記第４構成例と同様であるが、張り出し領域１３２Ｂの屈折片部１３２Ｂ４に突出部１３２Ｂ４ａが設けられ、この突出部１３２Ｂ４ａに対して内側角点Ｉ側に延長して設けられた突片部１３２Ｂ４ｂ及びその先にさらに接続された突片部１３２Ｂ４ｃが設けられている点で異なる。すなわち、張り出し領域１３２Ａの屈折片部１３２Ａ１が底面部１３１側に立設され、その後、屈折片部１３２Ａ２が屈折片部１３２Ａ１の外側に重なるように折り返される一方、張り出し領域１３２Ｂの屈折片部１３２Ｂ１、１３２Ｂ２及び１３２Ｂ３が同様に順次に折り重ねられると、屈折片部１３２Ａ２の突出部１３２Ａ２ａが屈折片部１３２Ｂ１、１３２Ｂ２及び１３２Ｂ３の端縁部の外側に重なるように組み合わされる。さらに、屈折片部１３２Ｂ４が同様にさらに外側に折り重ねられ、その突出部１３２Ｂ４ａに延長形成された突片部１３２Ｂ４ｂ及び１３２Ｂ４ｃを逆に内側角点Ｉ側へ向けて順次に折り返して重ねると、屈折片部１３２Ａ２ａの外側に組み合わされる。そして、その外側へ屈折片部１３２Ａ３及び１３２Ａ４をさらに折り重ねることで、突片部１３２Ａ４ａが上記突出部１３２Ｂ４ａ、突片部１３２Ｂ４ｂ及び１３２Ｂ４ｃの外側に組み合わされる。
【００５８】
上記のように屈折片部を外側へ順次に折り重ねていく途中で逆に内側に折り重ねる部分を設けることも可能であり、これによって、角部１３２ｐの両側の端面部１３２ｐ１と１３２ｐ２の嵌合態様をより自由に構成できる。
【００５９】
（第７構成例）図１０に示す構成例では、第１構成例と同様に屈折片部を底面部１３１の外周部上に折り返して上方へ折り重ねていく構造を有するが、張り出し領域１３２Ａの屈折片部１３２Ａ１、１３２Ａ２に相互に連続する切り欠き部１３２Ａ１ａ、１３２Ａ２ａが設けられ、屈折片部が折り重ねられたときに上記の切り欠き部によって角部１３２ｐに凹部が構成される。一方、張り出し領域１３２Ｂでは屈折片部１３２Ｂ１、１３２Ｂ２に突出部１３２Ｂ１ａ、１３２Ｂ２ａが設けられ、これらが屈折片部１３２Ｂ１、１３２Ｂ２が折り重ねられたときに屈折片部１３２Ａ１、１３２Ａ２の折り重ね部分に構成された上記凹部に嵌合する凸部を構成するようになっている。本構成例では、上記構造上には、さらに屈折片部１３２Ａ３及び１３２Ａ４に設けられた突出部１３２Ａ３ａ、１３２Ａ４ａと、屈折片部１３２Ｂ３及び１３２Ｂ４に設けられた切り欠き部１３２Ｂ３ａ、１３２Ｂ４ａが上記とは逆の関係で凹凸嵌合する。さらに、その上には、切り欠き部１３２Ａ５を備えた屈折片部１３２Ａ５と、突出部１３２Ｂ５ａを備えた屈折片部１３２Ｂ５とが嵌合している。
【００６０】
本構成例では、上記のように角部１３２ｐにおいて張り出し領域１３２Ａの屈折片部と張り出し領域１３２Ｂの屈折片部とが重なるだけでなく相互に嵌合する構造を有するため、角部１３２ｐの剛性をさらに高めることができる。
【００６１】
（第８構成例）図１１に示す構成例は、第２実施形態と同様に張り出し領域１３２Ａ、１３２Ｂの各屈折片部を底面部１３１の外縁部上に立設させた状態で折り重ねることで周囲壁１３２を設ける構造に関する。この構成例では、張り出し領域１３２Ａの屈折片部１３２Ａ１、１３２Ａ２に切り欠き部１３２Ａ１ａ、１３２Ａ２ａを設けるとともに、張り出し領域１３２Ｂの屈折片部１３２Ｂ３、１３２Ｂ４にそれぞれ突出部１３２Ｂ３ａ、１３２Ｂ４ａを設けている。
【００６２】
本構成例では、張り出し領域１３２Ａについては各屈折片部を外側へ順次に折り返していくことで周囲壁１３２を形成するが、張り出し領域１３２Ｂでは各屈折片部を内側へ順次に折り返して周囲壁を形成する。したがって、張り出し領域１３２Ａでは両張り出し領域の端縁の分岐点である側方角点Ｋの外側に周囲壁が形成され、張り出し領域１３２Ｂでは側方角点Ｋの内側に周囲壁が形成される。
【００６３】
また、本構成例では、上記のように各屈折片部を折り返していくことで、上記切り欠き部１３２Ａ１ａ、１３２Ａ２ａで構成される凹部に上記突出部１３２Ｂ３ａ、１３２Ｂ４ａで構成される凸部が嵌合するので、角部１３２ｐの剛性をさらに高めることができる。
【００６４】
（第９構成例）図１２に示す構成例は、側方角点Ｋの一側の張り出し領域１３２Ａにおいては第２構成例と同様に底面部１３１の外縁に立設した屈折片部を内外に折り重ねていくことで周囲壁１３２を構成し、他側の張り出し領域１３２Ｂにおいては第１構成例と同様に底面部１３１の外周部上に折り重ねられた屈折片部を上下に折り重ねていくことで周囲壁１３２を構成したものである。
【００６５】
そして、角部１３２ｐでは、張り出し領域１３２Ａの屈折片部１３２Ａ１、１３２Ａ２に設けられた切り欠き部１３２Ａ１ａ、１３２Ａ２ａによって構成される上下に伸びる凹溝中に、張り出し領域１３２Ｂの屈折片部１３２Ｂ１〜１３２Ｂ５に設けられた突出部１３２Ｂ１ａ〜１３２Ｂ５ａで構成される上下に伸びる積層構造の凸リブが嵌合することで剛性の高い角部１３２ｐが形成される。
【００６６】
（第１０構成例）図１３に示す構造は、内側角点Ｉの外側に第２構成例と同様に張り出し領域１３２Ａ、１３２Ｂの双方において底面部１３１に対して立設した状態で各屈折片部を外側へ順次に折り重ねていくようにしているが、この折り重ねただけでは、角部１３２ｐにおいて張り出し領域１３２Ａの端縁で構成される端面１３２ｐ１と張り出し領域１３２Ｂの端縁で構成される端面１３２ｐ２とが離間したままとなるように構成されている。そこで、この構成例では、その後、角部１３２ｐを内側へプレス等で折り曲げ（絞り）加工することで、図示実線で示すように端面１３２ｐ１、１３２ｐ２を密接させてある。この構成例では、追加加工を組み合わせることで角部１３２ａの剛性を高めることが可能となっている。
【００６７】
［電子機器］
最後に、上述した各実施形態に係る電気光学装置を電子機器に搭載してなる実施形態に説明する。この電子機器２００は、上記電気光学装置１００を表示部に搭載してなる電子機器であり、図１４は、本発明に係る電子機器の一実施形態である携帯電話機を示している。ここに示す電子機器２００は、複数の操作ボタン、送話口などを備えた操作部２０１と、受話口などを備えた表示部２０２とを有し、表示部２０２の内部に上記の電気光学装置１００が組み込まれてなる。そして表示部２０２の表面（内面）上に電気光学装置１００の表示領域１２０Ａ（図１参照）を視認することができるようになっている。この場合、電子機器２００の内部には、上記電気光学装置１００を制御する後述の表示制御回路が設けられ、この表示制御回路が電気光学装置１００の表示態様を決定する。
【００６８】
なお、電子機器２００において、上記装着体１４０、２４０を電子機器２００側に固定されたフレーム、電子機器２００の筐体自体で構成することもできる。このようにすると、表示部２０２の開口形状に対して高精度に整合した位置に表示画面を設定することができる。
【００６９】
図１５は、電子機器における電気光学装置１００に対する制御系（表示制御系）の全体構成を示す概略構成図である。ここに示す電子機器は、表示情報出力源２９１と、表示情報処理回路２９２と、電源回路２９３と、タイミングジェネレータ２９４と、バックライト１１０への電力供給を行う光源制御回路２９５とを含む表示制御回路２９０を有する。また、電気光学装置（液晶表示装置）１００には、上述の構成を有する電気光学パネル１２０と、この電気光学パネル１２０を駆動する駆動回路１２３と、電気光学パネル１２０を照明するためのバックライトである上記照明ユニット（照明装置）１１０とが設けられている。この駆動回路１２３は、上記のように電気光学パネル１２０に直接実装されている電子部品で構成されるが、上記のような態様の他に、電気光学パネル１２０の基板表面上に形成された回路パターン、或いは、電気光学パネル１２０に導電接続された回路基板、上記の配線基板１２８などの他の電子部品上に実装された半導体ＩＣチップ若しくは回路パターンなどによっても構成することができる。
【００７０】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００７１】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１２３へ供給する。駆動回路１２３は、走査線駆動回路、信号線駆動回路及び検査回路を含む。また、電源回路２９３は、上述の各構成要素にそれぞれ所定の電圧を供給する。
【００７２】
光源制御回路２９５は、電源回路２９３から供給される電圧に基づいてバックライト１１０の光源に電力を供給し、所定の制御信号に基づいて光源の点灯の有無及びその輝度等を制御するようになっている。
【００７３】
また、本発明に係る電子機器としては、図１４に示す携帯電話機の他に、液晶テレビ、カーナビゲーション装置、ページャ、電子手帳、電卓、ワークステーション、テレビ電話、ＰＯＳ端末機などが挙げられる。そして、これらの各種電子機器の表示部として本発明に係る電気光学装置（液晶表示装置）を用いることができる。
【００７４】
尚、本発明は、上述の図示例にのみ限定されるものではなく、本発明の要旨を逸脱しない範囲内において種々変更を加え得ることは勿論である。例えば、上記の実施形態においては、電気光学パネルの例示として液晶表示パネルを備えた液晶表示装置について説明したが、本発明は、液晶表示装置に限らず、有機エレクトロルミネッセンス表示装置や電気泳動表示装置などの他の電気光学装置であっても構わない。
【図面の簡単な説明】
【００７５】
【図１】各実施形態の電気光学装置の全体構成を示す概略分解斜視図。
【図２】第１実施形態の支持フレーム及び保持フレームの積層壁の構造を示す概略部分断面図（ａ）及び（ｂ）。
【図３】第２実施形態の支持フレーム及び保持フレームの積層壁の構造を示す概略部分断面図（ａ）及び（ｂ）。
【図４】第１構成例の積層壁の角部近傍の構造を示す概略展開図及び概略平面図。
【図５】第２構成例の積層壁の角部近傍の構造を示す概略展開図及び概略平面図。
【図６】第３構成例の積層壁の角部近傍の構造を示す概略展開図及び概略平面図。
【図７】第４構成例の積層壁の角部近傍の構造を示す概略展開図及び概略平面図。
【図８】第５構成例の積層壁の角部近傍の構造を示す概略展開図及び概略平面図。
【図９】第６構成例の積層壁の角部近傍の構造を示す概略展開図及び概略平面図。
【図１０】第７構成例の積層壁の角部近傍の構造を示す概略展開図及び概略平面図。
【図１１】第８構成例の積層壁の角部近傍の構造を示す概略展開図及び概略平面図。
【図１２】第９構成例の積層壁の角部近傍の構造を示す概略展開図及び概略平面図。
【図１３】第１０構成例の積層壁の角部近傍の構造を示す概略展開図及び概略平面図。
【図１４】電子機器の概略斜視図。
【図１５】電子機器の表示制御系の概略構成図。
【符号の説明】
【００７６】
１００…電気光学装置、１１０…照明ユニット、１２０…電気光学パネル、１３０…支持フレーム（下フレーム）、１３１…底面部、１３２、１３３…周囲壁、角部１３２ｐ、端面１３２ｐ１、１３２ｐ２、張り出し領域…１３２Ａ、１３２Ｂ、屈折片部…１３２Ａ１、１３２Ａ２・・・、１３２Ｂ１、１３２Ｂ２・・・、１４０…保持フレーム（上フレーム）、１４０ａ…表示窓、１４１…上面部、１４２，１４３…周囲壁
【図１】
0005076669.tif 000002
【図２】
0005076669.tif 000003
【図３】
0005076669.tif 000004
【図４】
0005076669.tif 000005
【図５】
0005076669.tif 000006
【図６】
0005076669.tif 000007
【図７】
0005076669.tif 000008
【図８】
0005076669.tif 000009
【図９】
0005076669.tif 000010
【図１０】
0005076669.tif 000011
【図１１】
0005076669.tif 000012
【図１２】
0005076669.tif 000013
【図１３】
0005076669.tif 000014
【図１４】
0005076669.tif 000015
【図１５】
0005076669.tif 000016